(57)【要約】      （修正有）【課題】傘において、南京錠やダイヤル錠で施錠を可能とする。【解決手段】傘本体０１１と、前記傘本体０１１に接続される帯状の留め具０１２と、前記帯状の留め具０１２の一端に接続される円筒Ａ０１３と、前記帯状の留め具０１２の前記円筒Ａの反対側の一端に接続される円筒Ｂ０１４とを備え、傘をたたんでいる状態の時前記円筒Ａ０１３と前記円筒Ｂ０１４に南京錠やダイヤル錠などを通すことによって傘を開けなくする。【選択図】図１
2016013399.tif 000002
【特許請求の範囲】
【請求項１】
傘本体と、前記傘本体に接続される帯状の留め具と、前記帯状の留め具の一端に接続される円筒Ａと、前記帯状の留め具の前記円筒Ａの反対側の一端に接続される円筒Ｂとを備え、傘をたたんでいる状態の時前記円筒Ａと前記円筒Ｂに南京錠やダイヤル錠などを通すことによって傘を開けなくすることで施錠を可能にすることを特徴とする傘。
【請求項２】
傘本体と、前記傘本体に接続される帯状の留め具と、前記帯状の留め具の一端に帯を折り返すことで形成する円筒部分Ａと、前記帯状の留め具の前記円筒部分Ａの反対側の一端に帯を折り返すことで形成する円筒部分Ｂとを備え、傘をたたんでいる状態の時前記円筒部分Ａと前記円筒部分Ｂに南京錠やダイヤル錠などを通すことによって傘を開けなくすることで施錠を可能にすることを特徴とする傘。
【請求項３】
傘本体と、前記傘本体に接続される帯状の留め具と、前記帯状の留め具の一端に接続される円筒Ａと、前記帯状の留め具の前記円筒Ａの反対側の一端に帯を折り返すことで形成する円筒部分Ｂとを備え、傘をたたんでいる状態の時前記円筒Ａと前記円筒部分Ｂに南京錠やダイヤル錠などを通すことによって傘を開けなくすることで施錠を可能にすることを特徴とする傘。
【請求項４】
傘本体と、前記傘本体に接続される帯状の留め具と、前記帯状の留め具の一端に帯を折り返すことで形成する円筒部分Ａと、前記帯状の留め具の前記円筒部分Ａの反対側の一端に接続される円筒Ｂとを備え、傘をたたんでいる状態の時前記円筒部分Ａと前記円筒Ｂに南京錠やダイヤル錠などを通すことによって傘を開けなくすることで施錠を可能にすることを特徴とする傘。
【請求項５】
請求項１に記載の傘において、
前記円筒Ａと前記円筒Ｂは前記帯状の留め具のボタン等と一体的に成型されることを特徴とする傘。
【請求項６】
請求項３に記載の傘において、
前記円筒Ａは前記帯状の留め具のボタン等と一体的に成型されることを特徴とする傘。
【請求項７】
請求項４に記載の傘において、
前記円筒Ｂは前記帯状の留め具のボタン等と一体的に成型されることを特徴とする傘。
【発明の詳細な説明】
【技術分野】
【０００１】  本発明は、傘の施錠装置に関する。
【背景技術】
【０００２】  従来の傘は、盗難を防ぐ為に、鍵付きの傘立てに置いたり、もしくは持ち運ぶなどしなければならず、傘自体に鍵を取り付ける事はなかったのが一般的である。
【先行技術文献】
【特許文献】
【０００３】
【特許文献１】特許公開平８−１０３３１３
【発明の概要】
【発明が解決しようとする課題】
【０００４】  従来の傘は鍵などの盗難防止処置を施すことは一般的ではなかった。また鍵をつける場合でも特許文献１のように傘本体を改良する必要があり、コストアップに繋がった。【０００５】  本発明の目的は、安価な施錠装置を備えた傘を提供することである。
【課題を解決するための手段】
【０００６】  上記目的を達成するために、
請求項１にかかる発明は、傘本体と、前記傘本体に接続される帯状の留め具と、前記帯状の留め具の一端に接続される円筒Ａと、前記帯状の留め具の前記円筒Ａの反対側の一端に接続される円筒Ｂとを備え、傘をたたんでいる状態の時前記円筒Ａと前記円筒Ｂに南京錠やダイヤル錠などを通すことによって傘を開けなくすることで施錠を可能にすることを特徴とする。【０００７】  請求項２にかかる発明は、傘本体と、前記傘本体に接続される帯状の留め具と、前記帯状の留め具の一端に帯を折り返すことで形成する円筒部分Ａと、前記帯状の留め具の前記円筒部分Ａの反対側の一端に帯を折り返すことで形成する円筒部分Ｂとを備え、傘をたたんでいる状態の時前記円筒部分Ａと前記円筒部分Ｂに南京錠やダイヤル錠などを通すことによって傘を開けなくすることで施錠を可能にすることを特徴とする。【０００８】  請求項３にかかる発明は、傘本体と、前記傘本体に接続される帯状の留め具と、前記帯状の留め具の一端に接続される円筒Ａと、前記帯状の留め具の前記円筒Ａの反対側の一端に帯を折り返すことで形成する円筒部分Ｂとを備え、傘をたたんでいる状態の時前記円筒Ａと前記円筒部分Ｂに南京錠やダイヤル錠などを通すことによって傘を開けなくすることで施錠を可能にすることを特徴とする。【０００９】  請求項４にかかる発明は、傘本体と、前記傘本体に接続される帯状の留め具と、前記帯状の留め具の一端に帯を折り返すことで形成する円筒部分Ａと、前記帯状の留め具の前記円筒部分Ａの反対側の一端に接続される円筒Ｂとを備え、傘をたたんでいる状態の時前記円筒部分Ａと前記円筒Ｂに南京錠やダイヤル錠などを通すことによって傘を開けなくすることで施錠を可能にすることを特徴とする。【００１０】  請求項５にかかる発明は、請求項１に記載の傘において、前記円筒Ａと前記円筒Ｂは前記帯状の留め具のボタン等と一体的に成型されることを特徴とする。【００１１】  請求項６にかかる発明は、請求項３に記載の傘において、前記円筒Ａは前記帯状の留め具のボタン等と一体的に成型されることを特徴とする。【００１２】  請求項７にかかる発明は、請求項４に記載の傘において、前記円筒Ｂは前記帯状の留め具のボタン等と一体的に成型されることを特徴とする。
【発明の効果】
【００１３】  請求項１にかかる発明によれば、傘をたたんでいる状態の時円筒Ａと円筒Ｂに南京錠やダイヤル錠などを通すことによって施錠することができる。【００１４】  請求項２にかかる発明によれば、傘をたたんでいる状態の時円筒部分Ａと円筒部分Ｂに南京錠やダイヤル錠などを通すことによって施錠することができる。【００１５】  請求項３にかかる発明によれば、傘をたたんでいる状態の時円筒Ａと円筒部分Ｂに南京錠やダイヤル錠などを通すことによって施錠することができる。【００１６】  請求項４にかかる発明によれば、傘をたたんでいる状態の時円筒部分Ａと円筒Ｂに南京錠やダイヤル錠などを通すことによって施錠することができる。【００１７】  請求項５にかかる発明によれば、前記円筒Ａと前記円筒Ｂは前記帯状の留め具のボタン等と一体的に成型されることで安価に製造することができる。【００１８】  請求項６にかかる発明によれば、前記円筒Ａは前記帯状の留め具のボタン等と一体的に成型されることで安価に製造することができる。【００１９】  請求項７にかかる発明によれば、前記円筒Ｂは前記帯状の留め具のボタン等と一体的に成型されることで安価に製造することができる。
【図面の簡単な説明】
【００２０】
【図１】本発明の第１の実施例の正面図である。
【図２】本発明の第２の実施例の正面図である。
【発明を実施するための形態】
【００２１】＜第１の実施例＞
図１に本発明の第１の実施例の傘の構成を示す。０１１は傘本体、０１２は帯状の留め具、０１３は円筒Ａ、０１４は円筒Ｂである。帯状の留め具０１２は傘本体０１１に接続される。円筒Ａ０１３は帯状の留め具０１２の一端に接続される。円筒Ｂ０１４は帯状の留め具０１２の円筒Ａ０１３と反対側の一端に接続される。
【００２２】  傘をたたんでいる状態の時、帯状の留め具０１２は傘本体０１１を一周して留められている。この時円筒Ａ０１３と円筒Ｂ０１４は近い位置にあるので、これに南京錠やダイヤル錠を通すことによって施錠が可能となる。
【発明を実施するための形態】
【００２３】＜第２の実施例＞
図２に本発明の第２の実施例の傘の構成を示す。０２１は傘本体、０２２は帯状の留め具、０２３は円筒部分Ａ、０２４は円筒部分Ｂである。帯状の留め具０２２は傘本体０２１に接続される。円筒部分Ａ０２３は帯状の留め具０２２の一端に形成される。円筒部分Ｂ０２４は帯状の留め具０２２の円筒部分Ａ０２３と反対側の一端に形成される。
【００２４】  傘をたたんでいる状態の時、帯状の留め具０２２は傘本体０２１を一周して留められている。この時円筒部分Ａ０２３と円筒部分Ｂ０２４は近い位置にあるので、これに南京錠やダイヤル錠を通すことによって施錠が可能となる。
【符号の説明】
【００２５】０１１：傘本体、０１２：帯状の留め具、０１３：円筒Ａ、０１４：円筒Ｂ
０２１：傘本体、０２２：帯状の留め具、０２３：円筒部分Ａ、０２４：円筒部分Ｂ
【図１】
2016013399.tif 000003
【図２】
2016013399.tif 000004